(57)【要約】【課題】金属接片の剛性を低くした場合でも、衝撃等により上下の金属接片が絡まることのないカメラ用シンクロスイッチを提供することを目的とする。【解決手段】シンクロスイッチ９を構成する金属接片は、従来のものより剛性を低くしてある。第１金属接片１０の先端部１０ａの幅Ｗ１は、第２金属接片１１の幅Ｗ２より広くしてあるので、レンズ付きフィルムユニットに衝撃等が加わり金属接片が捩じれるように変形しても、第１金属接片１０と第２金属接片１１とが絡まることはない。【選択図】　　　　図２
2004117925.tif 000002
【特許請求の範囲】
【請求項１】
露光開口を開放する方向に回動するシャッタ羽根に叩かれて弾性変形する第１金属接片と、この弾性変形した第１金属接片が接触する第２金属接片とからなり、これら第１金属接片と第２金属接片とが接触した時にオンして各種装置を作動させるカメラ用シンクロスイッチにおいて、
前記第１金属接片と前記第２金属接片とのいずれか一方の金属接片の少なくとも先端部分を、他方の金属接片の幅よりも広くしたことを特徴とするカメラ用シンクロスイッチ。
【請求項２】
露光開口を開放する方向に回動するシャッタ羽根に叩かれて弾性変形する第１金属接片と、この弾性変形した第１金属接片が接触する第２金属接片とからなり、これら第１金属接片と第２金属接片とが接触した時にオンして各種装置を作動させるカメラ用シンクロスイッチにおいて、
前記第１金属接片の少なくとも先端部分を第２金属接片の幅よりも広くし、この幅の広い部分に、非撮影時にシャッタ羽根の一部に対面または接触して、第１金属接片と第２金属接片との接触を防止する突出片を設けたことを特徴とするカメラ用シンクロスイッチ。
【発明の詳細な説明】
【０００１】
【発明の属する技術分野】
本発明は、シャッタ羽根の回動に連動して各種装置を作動させるカメラ用シンクロスイッチに関するものである。
【０００２】
【従来の技術】
いつでも手軽に写真撮影を楽しむことができるように、簡単な撮影機構を組み込んだユニット本体に予め写真フイルムを内蔵させたレンズ付きフイルムユニットが販売されている。レンズ付きフイルムユニットの撮影機構には、シャッタボタンの押圧操作によってレリーズ動作を行うレリーズ機構や、このレリーズ機構によって露光開口を開閉するシャッタ羽根等が含まれている。
【０００３】
また、レンズ付きフイルムユニットには、被写体に向けてストロボ発光を行うストロボ装置や、ファインダ視野に応じたマークを写真フイルムの撮影範囲外に写し込み、このマークを利用してプリントサイズを指定するデータ写し込み装置等が組み込まれているものがある。レンズ付きフイルムユニットでは、これらの装置を作動させるスイッチとして、開放時のシャッタ羽根によってオンされるシンクロスイッチを用いている。
【０００４】
シンクロスイッチは、ストロボ回路やデータ写し込み装置の回路に接続された２枚の金属接片からなり、開放時のシャッタ羽根が一方の金属接片を叩いて弾性変形させ、この金属接片を他方の金属接片に接触させることによりストロボ回路やデータ写し込み装置の回路を閉じ、それぞれの装置を作動させるようになっている。
【０００５】
ところで、レンズ付きフイルムユニットの新たな機能として、夜景撮影モードが考案されている。これは、露光量を通常撮影モードよりも多くして、きれいな夜景撮影を行なえるようにする撮影モードである。露光量を多くする方法としては、シャッタ速度を遅くしたり、絞りを大きくする方法がある（例えば、特許文献１参照）。
【０００６】
シャッタ速度を遅くするために、シャッターの蹴飛ばし力を弱くしたり、シャッターを閉じ付勢するバネを弱くしたりすることがある。また、シンクロスイッチの金属接片の長さを長くしたり、厚みを薄くする等して、金属接片の剛性を低くすることが考えられる。
【０００７】
金属接片の剛性を低くすると、僅かな振動等で二つの金属接片が接触することがある。これを解決するために、非撮影時には、二つの金属接片の間に配置されて接触を阻止するロック部材を設け、撮影時には、ロック部材を二つの金属接片の間から退避させるようにしたレンズ付きフイルムユニットが発明されている（例えば、特許文献２参照）。
【０００８】
【特許文献１】
特開２００１−０２２０３５号公報
【特許文献２】
特開平１１−１４２９１２号公報
【０００９】
【発明が解決しようとする課題】
図５（Ａ）に示すように、従来のシンクロスイッチ２１は、上下の金属接片２２、２３の幅が同一になっている。そのため、剛性の低い金属接片２２、２３に強い衝撃が加わると、金属接片２２、２３がそれぞれ捩じれるように弾性変形し、同図（Ｂ）に示すように、絡まってしまうことがあった。
【００１０】
そこで本発明は、金属接片の剛性を低くした場合でも、衝撃等により上下の金属接片が絡まることのないカメラ用シンクロスイッチを提供することを目的とする。
【００１１】
【課題を解決するための手段】
上記目的を達成するために、本発明は、第１金属接片と第２金属接片とのいずれか一方の金属接片の少なくとも先端部分を、他方の金属接片の幅よりも広くしている。また、第１金属接片の少なくとも先端部分を金属接片の幅よりも広くし、この幅の広い部分に、非撮影時にシャッタ羽根の一部に対面または接触して、第１金属接片と第２金属接片との接触を防止する突出片を設けている。
【００１２】
【発明の実施の形態】
図１は、本発明の第１実施形態におけるカメラ用シンクロスイッチとシャッタ羽根とを示している。シャッタ羽根２は、レンズ付きフイルムユニットに設けられた軸３に一端が回動自在に軸着され、他端に形成された円板部２ａで写真フイルムの露光面に対面する露光開口４を遮蔽している。シャッタ羽根２の軸着部分の近傍には、露光開口４を遮蔽する方向にシャッタ羽根２を付勢する引き戻しバネ５の一端が係止されている。引き戻しバネ５の他端は、レンズ付きフイルムユニットの本体側に係止されている。レンズ付きフイルムユニットにおいてシャッタレリーズボタンが押圧操作されると、シャッタ機構を構成するシャッタ駆動レバー６が突出部２ｂを図中右方に蹴飛ばし、引き戻しバネ５の付勢に抗して図中２点鎖線で示す位置に向けてシャッタ羽根２を回動させる。
【００１３】
シンクロスイッチ９は、シャッタ羽根２の回動面上で側方に配置されており、露光開口４を開放する方向に回動する際に、シャッタ羽根２の上部に形成された押圧片２ｃに叩かれる第１金属接片１０と、押圧片２ｃに叩かれて弾性変形した第１金属接片１０が接触する第２金属接片１１と、これら第１金属接片１０と第２金属接片１１とを絶縁状態で保持するプラスチック製の保持部材１２とからなる。このシンクロスイッチ９は、保持部材１２を利用してストロボ回路が形成されたプリント基板に取り付けられ、第１金属接片１０と第２金属接片１１とがストロボ回路に電気的に接続される。そして、第１金属接片１０と第２金属接片１１とが接触することによりストロボ回路がオンされ、ストロボ発光が行われる。
【００１４】
図２（Ａ）は、本発明の第１実施形態におけるシンクロスイッチを示している。シンクロスイッチ９を構成する金属接片１０、１１は、従来のものよりも剛性が低くされている。また、第１金属接片１０の先端部１０ａの幅Ｗ１は、第２金属接片１１の幅Ｗ２よりも広くしてある。そのため、レンズ付きフィルムユニットに衝撃等が加わり、同図（Ｂ）に示すように、金属接片１０、１１がそれぞれ捩じれるように変形しても、第１金属接片１０と第２金属接片１１とが絡まって、先端部１０ａが第２金属接片１１に引っ掛かることはない。
【００１５】
図３及び図４は、本発明の第２実施形態における金属接片とシャッタ羽根とを示している。第２実施形態は第１実施形態と同様なシャッタ機構を有し、シャッタ羽根１８には円板部１８ａ、駆動レバー６に蹴飛ばされる突出部１８ｂ、押圧片１８ｃ、軸着孔１９が形成され、引き戻しバネ５の一端が係止されている。シンクロスイッチ１４の第１金属接片１５と第２金属接片１６とは、保持部材１２に保持され、従来の金属接片よりも剛性が低くなっている。第１金属接片１５の先端部１５ａの幅Ｗ３は、第１実施形態と同様に第２金属接片１６の幅Ｗ４よりも広くされ、第２金属接片１６と絡まないようにされている。
【００１６】
第１金属接片１５の先端部１５ａには、シャッタ閉止時にシャッタ羽根１８の規制片１８ｄに当接する突出片１５ｂが一体に形成されている。これにより、レンズ付きフイルムユニットに振動や衝撃が加えられても、第１金属接片１５が第２金属接片１６側に弾性変形することはないので、不用意なストロボ発光を防止することができる。また、規制片１８ｄは、その突出量が小さくされているため、シャッタ羽根１８の回動時に、第２金属接片１６に当接することはない。
【００１７】
【発明の効果】
以上説明したように、本発明によれば、剛性を低くした金属接片を用いたカメラであっても、第１金属接片と第２金属接片とが衝撃等で絡むことがないので、動作信頼性の高いシンクロスイッチを提供することができる。また、非撮影時の金属接片同士の接触をローコストに防止することができる。
【図面の簡単な説明】
【図１】本発明の第１実施形態におけるシンクロスイッチとシャッタ羽根とを示す正面図である。
【図２】本発明の第１実施形態におけるシンクロスイッチを示す斜視図である。
【図３】本発明の第２実施形態におけるシンクロスイッチとシャッタ羽根とを示す分解斜視図である。
【図４】本発明の第２実施形態におけるシンクロスイッチとシャッタ羽根とを示す正面図である。
【図５】従来のシンクロスイッチを示す斜視図である。
【符号の説明】
２、１８　シャッタ羽根
２ｃ、１８ｃ　押圧片
９、１４　シンクロスイッチ
１０、１５　第１金属接片
１０ａ、１５ａ　先端部
１１、１６　第２金属接片
１８ｄ　規制片
【図１】
2004117925.tif 000003
【図２】
2004117925.tif 000004
【図３】
2004117925.tif 000005
【図４】
2004117925.tif 000006
【図５】
2004117925.tif 000007